(57)【要約】【課題】布地に印刷するときの作業性を向上する。【解決手段】カセット２００のプラテン部材３００の布地４００を保持する保持面３００ａには、中央位置を表示する長手方向に沿う線３０１Ａ及び短手方向に沿う線３０１Ｂが付され、プラテン部材３００の保持面３００ａには、手前側に、布地４００のセット方向を示す表示であるＴシャツ及び文字「Ｒ」を記号化したアイコン３０２Ａ、トートバッグ及び文字「Ｒ」を記号化した３０２Ｂが付されている。【選択図】図９
2018119234.tif 000002
【特許請求の範囲】
【請求項１】
布地を保持し、前記布地に印刷する装置に対して着脱自在に装着可能なトレイであって、
前記布地の印刷が施される部分を平坦な状態で保持する布地保持部材を有し、
前記布地保持部材の保持面とともに視認可能な可視面には、前記布地のセット方向を示す表示が付されている
ことを特徴とする布地を保持するトレイ。
【請求項２】
前記布地のセット方向を示す表示はアイコンである
ことを特徴とする請求項１に記載の布地を保持するトレイ。
【請求項３】
前記可視面は、前記布地保持部材の保持面である
ことを特徴とする請求項１又は２に記載の布地を保持するトレイ。
【請求項４】
前記可視面は、前記布地保持部材の保持面よりも一段低い面である
ことを特徴とする請求項１又は２に記載の布地を保持するトレイ。
【請求項５】
前記布地保持部材の周縁部との間で前記布地を挟む開閉可能な外周カバー部材を備え、
前記可視面は、前記外周カバー部材を開いたときに視認可能な状態になる面である
ことを特徴とする請求項１ないし４のいずれかに記載の布地を保持するトレイ。
【請求項６】
前記布地に印刷する装置の装置本体、及び、前記布地を加熱する装置に対して着脱自在に装着可能である
ことを特徴とする請求項１ないし５のいずれかに記載の布地を保持するトレイ。
【請求項７】
前記布地を備えている
ことを特徴とする請求項１ないし６のいずれかに記載の布地を保持するトレイ。
【請求項８】
請求項１ないし７のいずれかに記載の布地を保持するトレイを着脱自在に装着可能な受け部材と、
前記受け部材に装着された前記トレイに保持されている前記布地に対して印刷する印刷手段と、を備えている
ことを特徴とする布地に印刷する装置。
【発明の詳細な説明】
【技術分野】
【０００１】
本発明は布地を保持するトレイ、布地に印刷する装置に関する。
【背景技術】
【０００２】
従来、捺染装置として、媒体を支持するための支持部と、支持部上に搬送された媒体に液体を吐出するためのヘッドと、媒体に着弾した液体を乾燥するための乾燥部と、を備え、加熱エリアと非加熱エリアとを有し、乾燥部は加熱エリア内に配置され、支持部及びヘッドが非加熱エリアに配置されるものが知られている（特許文献１）。
【先行技術文献】
【特許文献】
【０００３】
【特許文献１】特開２０１４−１６２１７１号公報
【発明の開示】
【発明が解決しようとする課題】
【０００４】
しかしながら、布地（Ｔシャツ等の加工品を含む。）に印刷する装置として、特許文献１に開示されているような１つの装置内に加熱エリアと非加熱エリアを設ける構成を採用すると、必要な温度や加熱時間の上昇にともない、より厳重な冷却、断熱などの構成が必要になるなどして、装置が大型化するという課題がある。
【０００５】
そのために、布地に印刷する装置（以下「印刷装置」という。）と、画像を定着させる装置（以下「定着装置」という。）とは別の装置として設置されることが多く、布地を印刷装置にセットして印刷を行い、印刷された布地を取り外して、別の定着装置に、印刷された布地をセットし直さなければならず、作業性が悪いという課題がある。
【０００６】
本発明は上記の課題に鑑みてなされたものであり、布地に印刷するときの作業性を向上することを目的とする。
【課題を解決するための手段】
【０００７】
上記の課題を解決するため、本発明に係る布地を保持するトレイは、
布地を保持し、前記布地に印刷する装置に対して着脱自在に装着可能なトレイであって、
前記布地の印刷が施される部分を平坦な状態で保持する布地保持部材を有し、
前記布地保持部材の保持面とともに視認可能な可視面には、前記布地のセット方向を示す表示が付されている
構成とした。
【発明の効果】
【０００８】
本発明によれば、布地に印刷するときの作業性を向上することができる。
【図面の簡単な説明】
【０００９】
【図１】布地に印刷する装置（印刷装置）の一例のトレイを装着した状態の外観斜視説明図である。
【図２】同印刷装置のトレイを取り外した状態の外観斜視説明図である。
【図３】同印刷装置の機構部の全体構成を説明する斜視説明図である。
【図４】同じく図３と異なる方向から見た斜視説明図である。
【図５】トレイであるカセットの一例の斜視説明図である。
【図６】同じくカセットの外周カバーを開いた状態の斜視説明図である。
【図７】同じくカセットの短手方向に沿う概略断面説明図である。
【図８】カセットへの布地のセット方法の説明に供する説明図である。
【図９】本発明の第１実施形態に係るカセットのプラテン部材の平面説明図である。
【図１０】本発明の第２実施形態に係るカセットのプラテン部材の平面説明図である。
【図１１】本発明の第３実施形態に係るカセットのプラテン部材の平面説明図である。
【図１２】本発明の第４実施形態に係るカセットのプラテン部材の平面説明図である。
【図１３】本発明の第５実施形態に係るカセットのプラテン部材の全体斜視説明図である。
【図１４】同プラテン部材のアイコン部分の拡大斜視説明図である。
【図１５】本発明の第６実施形態に係るカセットのプラテン部材の斜視説明図である。
【図１６】同第６実施形態のカセットにおける布地のセット方法の説明に供するカセットのプラテン外周カバーを閉じた状態の斜視説明図である。
【図１７】同じくプラテン外周カバーを開いた状態の斜視説明図である。
【図１８】布地を加熱する加熱装置の一例の外観斜視説明図である。
【発明を実施するための形態】
【００１０】
以下、本発明の実施の形態について添付図面を参照して説明する。まず、布地に印刷する装置（以下、「印刷装置」という。）の一例について図１ないし図４を参照して説明する。図１は同印刷装置のトレイを装着した状態の外観斜視説明図、図２は同印刷装置のトレイを取り外した状態の外観斜視説明図、図３は同印刷装置の機構部の全体構成を説明する斜視説明図、図４は同じく図３と異なる方向から見た斜視説明図である。
【００１１】
印刷装置１は、装置本体１００内に、布地４００を保持するトレイであるカセット２００を着脱可能に保持して進退移動する受け部材であるステージ１１１と、ステージ１１１で保持されたカセット２００に保持されている布地４００に印刷する印刷手段１１２とを備えている。
【００１２】
ここで、布地４００としては、ハンカチ、タオルなどの一枚の布地で形成されるものだけではなく、Ｔシャツ、トレーナーなどの衣服として加工された布地、トートバック等の製品の一部となっている布地にも用いることができる。
【００１３】
ステージ１１１は、装置本体１００に対して矢印Ｙ方向（送り方向）に移動可能に保持された搬送構造体１１３上に設けられている。ここでは、装置本体１００の底部筐体部１１４に矢印Ｙ方向に沿って搬送ガイド部材１１５が配置され、搬送構造体１１３のスライダ部１１６が搬送ガイド部材１１５によって移動可能に保持されている。
【００１４】
印刷手段１１２は、ステージ１１１に対して矢印Ｘ方向（主走査方向）に移動するキャリッジ１２１と、キャリッジ１２１に搭載されたヘッド１２２とを備えている。キャリッジ１２１は、矢印Ｘ方向に沿って配置されたガイド部材１２３で移動可能に保持され、駆動モータ１２４によってタイミングベルト１２５などの走査機構部を介して矢印Ｘ方向に往復移動される。ヘッド１２２は液体吐出ヘッドを用いて、インクを布地表面に吐出して画像の形成を行っているが、これに限るものではない。
【００１５】
この印刷装置１においては、カセット２００のプラテン部材３００に布地４００をセットした状態で、装置本体１００内のステージ１１１にカセット２００を装着して保持する。そして、ステージ１１１の矢印Ｙ方向への移動とヘッド１２２の矢印Ｘ方向への往復移動を繰り返すことで、布地４００に所要の画像を印刷する。
【００１６】
次に、トレイであるカセットの概要について図５ないし図７も参照して説明する。図５は同カセットの斜視説明図、図６は同じくカセットの外周カバーを開いた状態の斜視説明図、図７は同じくカセットの短手方向に沿う概略断面説明図である。
【００１７】
カセット２００は、印刷装置１の受け部材であるステージ１１１に着脱自在に装着可能であり、トレイベース部材であるカセットベース２０１と、布地４００の印刷が施される部分を平坦な状態で保持する布地保持部材であるプラテン部材３００とを有している。
【００１８】
プラテン部材３００は、プラテン構造体３０２と、布地４００を平坦な状態で保持する面を構成する断熱部材３０１とで構成されている。断熱部材３０１は、加熱装置による加熱に対して耐熱性を有する。
【００１９】
そして、カセットベース２０１には、プラテン部材外周カバー部材であるプラテン外周カバー２０２がヒンジ２０３で矢印方向に開閉可能に設けられている。プラテン外周カバー２０２は、プラテン部材３００に対応する部分に開口部２０２ａを有し、プラテン部材３００の外周部分のフランジ部３００ａ（周縁部）との間で布地４００を挟んで押さえる。
【００２０】
また、カセットベース２０１には、装置本体１００のステージ１１１に対する着脱方向と直交する方向の両端部に、ステージ１１１の両端部を抱え込んでステージ１１１の両端部に移動可能に嵌め込まれるガイドレール部２１１が設けられている。
【００２１】
プラテン部材３００はカセットベース２０１に対して支持部３１１で支持して、プラテン部材３００とカセットベース２０１との間には布地４００の余剰部分４００ａを収容できる収容空間３１２を形成している。余剰部分４００ａは、例えばＴシャツの前面に印刷を行う場合においては、両袖や襟口、すそ等が該当する。
【００２２】
ここで、プラテン部材３００はカセットベース２０１から着脱可能であり交換可能に形成されている。これによりプラテン部材３００を複数用意し、印刷動作中に別のプラテン部材３００に衣類を巻き付けておくことができ、印刷、定着終了後にプラテン部材３００を交換するだけで速やかに次の布地の印刷を開始することができる。
【００２３】
このカセット２００に布地４００をセットするときには、図６に示すように、プラテン外周カバー２０２を開いて、プラテン部材３００上に布地４００をセット（保持）する。このとき、布地４００の余分な部分（余剰部分）４００ａを図７に示すように、収容空間３１２内に収容した状態で、図５に示すように、プラテン外周カバー２０２を閉じる。
【００２４】
そして、布地４００に印刷するときには、布地４００をセットしたカセット２００を印刷装置１の装置本体１００のステージ１１１上に装着する（セットする）。このとき、カセット２００をステージ１１１の移動方向からステージ１１１に装着することができるので、カセット２００をステージ１１１の直上からステージ１１１に装着する構成に比べて、ステージ１１１全体を装置本体１００から外に露出させる必要がなく、装置の小型化を図れる。
【００２５】
このように、カセット２００は装置本体１００から全体を取り出した状態にして印刷対象である布地４００をプラテン部材３００上にセットすることができるので、プラテン部材３００への布地４００のセット作業が容易になる。
【００２６】
このようなカセット２００は印刷装置１で印刷が完了した後、布地４００を保持したまま、本発明に係る加熱装置にセットし、画像が印刷された布地４００を加熱して定着することができる。
【００２７】
次に、カセット２００への布地４００のセット方法について図８を参照して説明する。図８は同説明に供する説明図である。
【００２８】
カセット２００のプラテン部材３００上に布地４００をセットするとき、印刷する画像の向きによって布地４００の向きが変わってくる。例えば、図８（ａ）に示すように、Ｔシャツなどの布地４００に縦長の画像を印刷する場合と、図８（ｂ）に示すように、トートバッグなどの布地４００に横長の画像を印刷する場合とでは、布地４００のセット方向が異なる。
【００２９】
この場合、Ｔシャツやトートバッグは、上下逆向き、左右逆向きにセットすることもできるため、ユーザーが意図した画像と異なる向きの画像が印刷されるおそれが生じる。
【００３０】
そこで、本発明では、布地保持部材（プラテン部材３００）の保持面（表面）やカセットベース２０１の上面などの保持面とともに視認可能な可視面に、布地４００のセット方向を示す表示を付す構成とし、布地４００のセット作業性を向上している。
【００３１】
次に、本発明の第１実施形態に係るトレイであるカセットについて図９を参照して説明する。図９は同カセットのプラテン部材の平面説明図である。
【００３２】
カセット２００のプラテン部材３００の布地４００を保持する保持面３１０には、中央位置を表示する長手方向に沿う線３０１Ａ及び短手方向に沿う線３０１Ｂが付されている。線３０１Ａと線３０１Ｂが交差するところがほぼ中央位置になる。
【００３３】
また、プラテン部材３００の保持面３１０には、手前側（前記ヒンジ２０３と反対側）に、布地４００のセット方向を示す表示であるアイコン３０２Ａ、３０２Ｂが付されている。
【００３４】
ここで、アイコン３０２Ａは、例えばＴシャツを記号化したものであり、Ｔシャツの向きと内側の文字「Ｒ」で布地４００に印刷したときの画像の向きを示している。アイコン３０２Ｂが、例えばトートバッグを記号化したものであり、トートバッグの向きと内側の文字「Ｒ」で布地４００に印刷したときの画像の向きを示している。
【００３５】
このように構成したので、ユーザーを意図する印刷画像になるように布地４００をセットすることが容易になり、セット作業の作業性が向上し、全体として布地に対して印刷するときの作業性が向上する。
【００３６】
次に、本発明の第２実施形態に係るトレイであるカセットについて図１０を参照して説明する。図１０は同カセットのプラテン部材の平面説明図である。
【００３７】
本実施形態では、アイコン３０２Ａは、プラテン部材３００の手前側で長手方向の線３０１Ａに隣接して付している。また、アイコン３０２Ｂは、プラテン部材３００の短手方向の一端部側で短手方向の線３０１Ｂに隣接して付している。
【００３８】
このようにアイコン３０２Ａ、３０２Ｂを異なる２箇所に配置することで、ユーザーにＴシャツとトートバッグとの場合で、カセット２００を回転させることを促すことができ、視認性が向上する。
【００３９】
次に、本発明の第３実施形態に係るトレイであるカセットについて図１１を参照して説明する。図１１は同カセットのプラテン部材の平面説明図である。
【００４０】
本実施形態のアイコン３０３Ａ、３０３Ｂは、文字列を示す線と文字「Ｒ」などで構成される一般的なドキュメントのセット方向を示すときに使用される汎用的なアイコンとしたものである。
【００４１】
これにより、ユーザーは布地４００がＴシャツやトートバッグ以外の布地であっても、布地４００のセット方向を容易に認識することができる。
【００４２】
次に、本発明の第４実施形態に係るトレイであるカセットについて図１２を参照して説明する。図１２は同カセットのプラテン部材の平面説明図である。
【００４３】
本実施形態は、前記第２実施形態のアイコン３０２Ａ、３０２Ｂに代えて、前記第３実施形態のアイコン３０３Ａ、３０３Ｂとしたものである。
【００４４】
次に、本発明の第５実施形態に係るトレイであるカセットについて図１３及び図１４を参照して説明する。図１３は同カセットのプラテン部材の全体斜視説明図、図１４は同プラテン部材のアイコン部分の拡大斜視説明図である。
【００４５】
本実施形態では、プラテン部材３００の保持面３１０にアイコン３０３Ａ（他のアイコンでもよい。以下、同じ。）を彫り込んで設けている。
【００４６】
このようにすれば、セットされた布地４００がアイコン３０３Ａの凹部に触れることはないので、アイコン３０３Ａを着色してより視認性を高めることができる。
【００４７】
次に、本発明の第６実施形態に係るトレイであるカセットについて図１５を参照して説明する。図１５は同カセットのプラテン部材の斜視説明図である。
【００４８】
本実施形態では、プラテン部材３００の保持面３１０の周囲（全周でなくともよい。）に保持面３１０よりも一段低くなったフランジ部３００ａを設け、このフランジ部３００ａの上面にアイコン３０３Ａを付している。
【００４９】
このようにしても、セットされた布地４００がアイコン３０３Ａに触れるおそれは少ないので、アイコン３０３Ａを着色してより視認性を高めることができる。
【００５０】
次に、同第６実施形態のカセットにおける布地のセット方法について図１６及び図１７を参照して説明する。図１６は同カセットのプラテン外周カバーを閉じた状態の斜視説明図、図１７は同カセットのプラテン外周カバーを開いた状態の斜視説明図である。
【００５１】
前記第６実施形態のプラテン部材３００ではフランジ面３００ｂを設けているので、プラテン外周カバー２０２を閉じた状態ではアイコン３０３Ａは視認できないが、プラテン外周カバー２０２を開くことでアイコン３０３Ａを視認できるようになる。つまり、フランジ部３００ａの上面は、プラテン外周カバー２０２を開くことで視認可能な状態になる可視面である。
【００５２】
なお、上記各実施形態では、布地のセット方向を示す表示としてアイコンを使用したが、これに限るものではない。また、プラテン部材の一部に布地のセット方向を示す表示を付したが、これに限るものではなく、プラテン部材とともに視認可能な可視面であればよい。例えば、カセットベース２０１の上面に布地のセット方向を示す表示を付することもできる。
【００５３】
次に、本発明に係るトレイを着脱可能で布地を加熱する装置（加熱装置）の一例について図１８を参照して説明する。図１８は同加熱装置の外観斜視説明図である。
【００５４】
この加熱装置５００は、装置本体５０１内に、布地４００を保持するカセット２００を着脱自在に装着する受け部材５０３と、布地４００を加熱する加熱手段５０４とを備えている。
【００５５】
受け部材５０３は、前述した印刷装置１のステージ１１１と同じ構成であり、印刷が完了した布地４００をカセット２００に保持したままで装着することができる。
【００５６】
このように構成したので、前述した印刷装置１によって印刷が完了した布地４００を保持するカセット２００を印刷装置１から取り出し、布地４００を保持したままカセット２００を加熱装置５００内の受け部材５０３にセットし、扉５０２を閉じた状態で、加熱手段５０４に給電して発熱させることで、カセット２００の布地４００が加熱して定着することができる。
【００５７】
つまり、画像が付与される布地４００をトレイ（カセット２００）に保持する工程と、カセット２００を印刷装置１に装着して布地４００に印刷する印刷工程と、印刷工程完了後、カセット２００を印刷装置１から取り出し、布地４００を保持したままカセット２００を加熱装置５００に装着して、布地４００を加熱する後工程とを行って、布地４００に画像を付与することができる。
【００５８】
カセット２００（トレイ）に布地４００を保持したまま印刷及び加熱を行うことができるので、布地４００に画像を付与するときの作業性が向上する。
【００５９】
なお、本発明における「トレイ」とは、印刷装置と加熱装置ないし定着装置とに着脱できる構成を備えていれば形状等は上記実施形態のカセットのような箱状の形態に限られるものではない。具体的には、印刷装置と定着装置とに挿入可能に形成された一枚の板状のプラテン部材であってもよい。
【００６０】
また、より作業性を向上するために、このようなトレイに対し、印刷時に作業者が毎回布地（Ｔシャツ等）をトレイにセットする工程をなくすために、布地（Ｔシャツ等）をセット済みのトレイを利用することもできる。この場合、使用後のトレイは回収され、再び布地がセットされた状態で供給される。
【００６１】
さらに、同様の効果を奏するために、トレイに着脱可能に形成されたプラテン部材に布地（Ｔシャツ等）をセットした布地セット済みのプラテン部材を利用することもできる。使用する場合は、この布地セット済みのプラテン部材をそのままトレイに装着し、印刷、定着が完了したあとに、トレイからプラテン部材を取り外し、次の布地セット済みのプラテン部材をトレイに装着し、印刷、定着が行われる。この場合、使用後のプラテン部材は回収され、再び布地がセットされた状態で供給される。
【００６２】
このようにすることで、作業者が毎回布地（Ｔシャツ等）をセットする必要がなく、複数枚の連続処理が容易になり、複数枚の連続処理を自動化することも可能となる。
【００６３】
また、上記実施形態では、布地がＴシャツなどである場合について説明しているが、例えば布地を含めて、加熱対象を媒体（メディア）とする場合にも本発明を同様に適用することができる。この場合には、前記実施形態における「布地」が媒体となる。
【符号の説明】
【００６４】
１  印刷装置
１００  印刷装置の装置本体
１１１  ステージ（受け部材）
１２２  ヘッド
２００  カセット（トレイ）
３００  プラテン部材
３０２Ａ、３０２Ｂ、３０３Ａ、３０３Ｂ  アイコン
３１０  保持面
４００  布地
５００  加熱装置
５０１  装置本体
【図１】
2018119234.tif 000003
【図２】
2018119234.tif 000004
【図３】
2018119234.tif 000005
【図４】
2018119234.tif 000006
【図５】
2018119234.tif 000007
【図６】
2018119234.tif 000008
【図７】
2018119234.tif 000009
【図８】
2018119234.tif 000010
【図９】
2018119234.tif 000011
【図１０】
2018119234.tif 000012
【図１１】
2018119234.tif 000013
【図１２】
2018119234.tif 000014
【図１３】
2018119234.tif 000015
【図１４】
2018119234.tif 000016
【図１５】
2018119234.tif 000017
【図１６】
2018119234.tif 000018
【図１７】
2018119234.tif 000019
【図１８】
2018119234.tif 000020